(57)【特許請求の範囲】
【請求項１】
フィルタ及び真空ポンプを含み、前記フィルタの吸引濾過端と前記真空ポンプの吸気端とがガス通路で接続される急速濾過装置において、
前記吸引濾過端が更に前記真空ポンプの排気端とガス通路で接続され、
前記吸気端に生じる負圧によって濾過が行われるように、かつ、前記排気端に生じる正圧によって前記フィルタが吹き返されるように構成され、
前記正圧と前記負圧とを交替的に前記フィルタに作用させることで、粒子径の小さい固体によって前記フィルタが閉塞されることを回避することを特徴とする急速濾過装置。
【請求項２】
更に切換弁を含み、前記吸引濾過端が前記切換弁を介して前記吸気端及び前記排気端にそれぞれガス通路で接続されることを特徴とする請求項１に記載の急速濾過装置。
【請求項３】
前記切換弁が電磁切換弁であり、前記急速濾過装置は更に制御器を含み、前記制御器が前記真空ポンプ及び前記電磁切換弁にそれぞれ電気的に接続することを特徴とする請求項２に記載の急速濾過装置。
【請求項４】
更に空気フィルタを含み、前記排気端が前記空気フィルタを介して前記吸引濾過端にガス通路で接続されることを特徴とする請求項１に記載の急速濾過装置。
【請求項５】
更に十字継ぎ手と三つの停止弁とを含み、前記フィルタの数が三つであり、前記吸引濾過端がそれぞれ前記停止弁を介して前記十字継ぎ手にガス通路で接続され、前記十字継ぎ手が前記吸気端及び前記排気端にそれぞれガス通路で接続されることを特徴とする請求項１に記載の急速濾過装置。
【請求項６】
前記停止弁が手動停止弁であることを特徴とする請求項５に記載の急速濾過装置。
【請求項７】
前記フィルタが吸引濾過瓶とすることを特徴とする請求項１に記載の急速濾過装置。
【請求項８】
更に第一制御弁と第二制御弁とを含み、前記吸引濾過端が前記第一制御弁及び前記第二制御弁を介して前記吸気端及び前記排気端にそれぞれガス通路で接続されることを特徴とする請求項１に記載の急速濾過装置。
【請求項９】
更にＴ字継ぎ手を含み、前記吸引濾過端が前記Ｔ字継ぎ手を介して前記第一制御弁及び前記第二制御弁にそれぞれガス通路で接続されることを特徴とする請求項８に記載の急速濾過装置。
【請求項１０】
更に第三制御弁、第四制御弁、第五制御弁及び第六制御弁を含み、前記吸引濾過端が前記第四制御弁及び前記第五制御弁を介して前記吸気端及び前記排気端にそれぞれガス通路で接続され、前記吸気端が更に前記第三制御弁にガス通路で接続され、前記排気端が更に前記第六制御弁にガス通路で接続されることを特徴とする請求項１に記載の急速濾過装置。
【発明の詳細な説明】
【技術分野】
【０００１】
本発明は濾過技術分野に関し、特に濾過装置の技術分野に関し、具体的には急速濾過装置に関する。
【背景技術】
【０００２】
現在、既知の濾過装置は真空ポンプを採用して減圧濾過を行うものである。真空ポンプの吸気端とフィルタの吸引濾過端とが接続され、真空ポンプに生じる負圧を利用して濾過過程を完成する。然し、この過程で、フィルタが閉塞されやすく、濾過の効率及び速度に影響を与える。
【０００３】
そのため、濾過過程でフィルタを閉塞しにくくすることで、濾過の効率及び速度を向上させる急速濾過装置を提供する必要がある。
【発明の概要】
【発明が解決しようとする課題】
【０００４】
本発明の目的は前記従来技術にある欠点を克服し、設計が巧妙で、構造が簡潔で、濾過過程でフィルタを閉塞させにくくすることで、濾過の効率及び速度を向上させ、大量生産及び広範囲な普及に適する急速濾過装置を提供することにある。
【課題を解決するための手段】
【０００５】
前記目的を実現するために、本発明は、フィルタ及び真空ポンプを含み、前記フィルタの吸引濾過端と前記真空ポンプの吸気端とガス通路で接続される急速濾過装置において、前記吸引濾過端が更に前記真空ポンプの排気端とガス通路で接続され、前記吸気端に生じる負圧によって濾過が行われるように、かつ、前記排気端に生じる正圧によって前記フィルタが吹き返されるように構成され、前記正圧と前記負圧とを交替的に前記フィルタに作用させることで、粒子径の小さい固体によって前記フィルタが閉塞されることを回避することを特徴とする急速濾過装置である。
【０００６】
好ましくは、前記急速濾過装置は、更に切換弁を含み、前記吸引濾過端が前記切換弁を介して前記吸気端及び前記排気端にそれぞれガス通路で接続される。
【０００７】
より好ましくは、前記切換弁は電磁切換弁であり、前記急速濾過装置は更に制御器を含み、前記制御器が前記真空ポンプ及び前記電磁切換弁にそれぞれ電気的に接続する。
【０００８】
好ましくは、前記急速濾過装置は更に空気フィルタを含み、前記排気端が前記空気フィルタを介して前記吸引濾過端にガス通路で接続される。
【０００９】
好ましくは、前記急速濾過装置は更に十字継ぎ手及び三つの停止弁を含み、前記フィルタの数が三つであり、前記吸引濾過端がそれぞれ前記停止弁を介して前記十字継ぎ手にガス通路で接続され、前記十字継ぎ手が前記吸気端及び前記排気端にそれぞれガス通路で接続される。
【００１０】
好ましくは、前記停止弁は手動停止弁である。
【００１１】
好ましくは、前記フィルタは吸引濾過瓶である。
【００１２】
好ましくは、前記急速濾過装置は更に第一制御弁及び第二制御弁を含み、前記吸引濾過端が前記第一制御弁及び前記第二制御弁を介して、前記吸気端及び前記排気端にそれぞれガス通路で接続される。
【００１３】
より好ましくは、前記急速濾過装置は更にＴ字継ぎ手を含み、前記吸引濾過端が前記Ｔ字継ぎ手を介して、前記第一制御弁及び前記第二制御弁にそれぞれガス通路で接続される。
【００１４】
好ましくは、前記急速濾過装置は更に第三制御弁、第四制御弁、第五制御弁及び第六制御弁を含み、前記吸引濾過端が前記第四制御弁及び前記第五制御弁を介して前記吸気端及び前記排気端にそれぞれガス通路で接続され、前記吸気端が更に前記第三制御弁にガス通路で接続され、前記排気端が更に前記第六制御弁にガス通路で接続される。
【発明の効果】
【００１５】
具体的には、本発明の有益な効果は以下のことにある。
【００１６】
１．本発明の急速濾過装置はフィルタ及び真空ポンプを含み、前記フィルタの吸引濾過端が前記真空ポンプの吸気端にガス通路で接続され、前記吸引濾過端が更に前記真空ポンプの排気端にガス通路で接続され、濾過過程で、真空ポンプの吸気端と排気端との交替作動を利用し、フィルタに負圧と正圧を交替的に作用させることで、粒子径の小さい固体でフィルタを閉塞することを回避する。これにより、濾過効率及び速度が向上し、設計が巧妙で、構造が簡潔で、濾過過程でフィルタが閉塞されにくいため、濾過の効率及び速度を向上させ、大量生産及び広範囲な普及に適する。
【００１７】
２．本発明の急速濾過装置は更に切換弁を含み、前記吸引濾過端が前記切換弁を介して前記吸気端と前記排気端とのそれぞれにガス通路で接続され、切換弁を通じて真空ポンプの吸気端と排気端とが交替的にフィルタの吸引濾過端に連通することを実現するため、設計が巧妙で、構造が簡潔で、濾過過程でフィルタが閉塞されにくいため、濾過の効率及び速度を向上させ、大量生産及び広範囲な普及に適する。
【００１８】
３．本発明の急速濾過装置は更に第一制御弁及び第二制御弁を含み、前記吸引濾過端が前記第一制御弁及び前記第二制御弁を介して前記吸気端及び前記排気端にそれぞれガス通路で接続され、第一制御弁及び第二制御弁を介して真空ポンプの吸気端及び排気端が交替的にフィルタの吸引濾過端に連通することを実現することので、設計が巧妙で、構造が簡潔で、濾過過程で、フィルタが閉塞されにくいため、濾過の効率及び速度を向上させ、大量生産及び広範囲な普及に適する。
【００１９】
４．本発明の急速濾過装置は更に第三制御弁、第四制御弁、第五制御弁及び第六制御弁を含み、前記吸引濾過端が前記第四制御弁及び前記第五制御弁を介して前記吸気端及び前記排気端にそれぞれガス通路で接続され、前記吸気端が更に前記第三制御弁にガス通路で接続され、前記排気端が更に前記第六制御弁にガス通路で接続され、第四制御弁及び第五制御弁を介して真空ポンプの吸気端及び排気端が交替的にフィルタの吸引濾過端に連通することを実現するので、設計が巧妙で、構造が簡潔で、濾過過程で、フィルタが閉塞されにくいため、濾過の効率及び速度を向上させ、大量生産及び広範囲な普及に適する。
【図面の簡単な説明】
【００２０】
【図１】本発明の具体的な一実施例の使用状態を示す模式図の一である。
【図２】図１に示す具体的な実施例の使用状態を示す模式図の二である。
【図３】本発明の他の具体的な実施例の使用状態を示す模式図の一である。
【図４】図３に示す具体的な実施例の使用状態を示す模式図の二である。
【図５】本発明の更に別の具体的な実施例の使用状態を示す模式図の一である。
【図６】図５に示す具体的な実施例の使用状態を示す模式図の二である。
【発明を実施するための形態】
【００２１】
本発明の技術内容をより明瞭的に理解できるために、特に以下の実施例を挙げて詳細に説明する。ここで同一部品に同一符号を付する。
【００２２】
図１及び図２の示すように、本発明の急速濾過装置はフィルタ１１及び真空ポンプ２を含み、前記フィルタ１１の吸引濾過端１２と前記真空ポンプ２の吸気端３とがガス通路で接続され、前記吸引濾過端１２が更に前記真空ポンプ２の排気端４とガス通路で接続される。使用時、前記吸引濾過端１２が前記吸気端３と前記排気端４とに交替的にガス通路で連通される。
【００２３】
前記吸引濾過端１２が前記吸気端３と前記排気端４とに交替的に連通することを実現するために、図１及び図２を参照し、本発明の具体的な実施例において、前記急速濾過装置は更に切換弁６を含み、前記吸引濾過端１２が前記切換弁６を介して前記吸気端３と前記排気端４とのそれぞれにガス通路で接続される。勿論、前記吸気端３及び前記排気端４が各自の制御弁を介して前記吸引濾過端１２にガス通路で接続されても良い。
【００２４】
前記切換弁６が手動であってよく、又は電動的であってもよい。図１及び図２を参照し、本発明の具体的な実施例において、前記切換弁６は電磁切換弁であり、前記急速濾過装置は更に制御器１を含み、前記制御器１は前記真空ポンプ２と前記電磁切換弁とにそれぞれ電気的に接続する。
【００２５】
フィルタ１１を保護するために、好ましくは、前記急速濾過装置は更に空気フィルタ５を含み、前記排気端４が前記空気フィルタ５を介して前記吸引濾過端１２とガス通路で接続される。図１及び図２の示すように、本発明の具体実施例において、前記空気フィルタ５が前記電磁切換弁を介して前記吸引濾過端１２とガス通路で接続させる。
【００２６】
真空ポンプ２が複数のフィルタ１１に接続可能であるために、好ましくは、前記急速濾過装置は更に十字継ぎ手７及び三つの停止弁８、９、１０を含み、前記フィルタ１１の数が三つ（図１及び図２に一つだけのフィルタ１１を示す）とし、前記吸引濾過端１２が前記停止弁８、９、１０のそれぞれを介して前記十字継ぎ手７にガス通路で接続され、前記十字継ぎ手７が前記吸気端３と前記排気端４とにそれぞれガス通路で接続される。図１及び図２を参照し、本発明の具体的実施例において、前記十字継ぎ手７が前記電磁切換弁を介して前記吸気端３にガス通路で接続され、前記十字継ぎ手７が前記電磁切換弁及び前記空気フィルタ５を介して前記排気端４にガス通路で接続される。
【００２７】
前記停止弁８、９、１０が手動であってもよく、又は電動であってもよい。前記停止弁８、９、１０は、電動の場合、制御器１と電気的に接続できる。図１及び図２を参照し、本発明の具体的な実施例において、前記停止弁８、９、１０が手動停止弁である。
【００２８】
前記フィルタ１１は如何なる適切な部品であっても良く、図１及び図２を参照し、本発明の具体的な実施例において、前記フィルタ１１が吸引濾過瓶である。
【００２９】
本発明は使用される場合、図１を参照し、制御器１により電磁切換弁を制御することで真空ポンプ２の吸気端３とフィルタ１１の吸引濾過端１２とを連通させ、真空ポンプ２に生じる負圧をフィルタ１１の吸引濾過端１２に作用させることで濾過を実現する。図２を参照し、制御器１が電磁切換弁を制御することにより真空ポンプ２の排気端４とフィルタ１１の吸引濾過端１２とを連通させ、真空ポンプ２に生じる正圧をフィルタ１１の吸引濾過端１２に作用させることで、粒子径の小さい固体でフィルタ１１を閉塞することを回避する。濾過が終了するまで、上記の手順を繰り返す。
【００３０】
図３及び図４に本発明の他の具体的な実施例を示し、当該実施例は、図１及び図２に示す具体的な実施例と比較して、切換弁６の機能が第一制御弁１４と第二制御弁１５により実現される点、即ち、前記吸引濾過端１２が、前記第一制御弁１４及び前記第二制御弁１５を介して前記吸気端３及び前記排気端４にそれぞれガス通路で接続される点で相違する。前記第一制御弁１４及び前記第二制御弁１５が三方電磁弁であってよい。
【００３１】
前記吸引濾過端１２がそれぞれ前記第一制御弁１４及び前記第二制御弁１５にガス通路で接続するためには、如何なる適切な構造を採用することができる。図３及び図４の表示を参照し、本発明の他の具体実施例において、前記急速濾過装置は更にＴ字継ぎ手１３を含み、前記吸引濾過端１２が前記Ｔ字継ぎ手１３を介して前記第一制御弁１４及び前記第二制御弁１５にそれぞれガス通路で接続される。
【００３２】
使用時、図３を参照し、制御器１が前記第一制御弁１４及び前記第二制御弁１５を制御することで、真空ポンプ２の吸気端３とフィルタ１１の吸引濾過端１２とを連通させ、真空ポンプ２に生じる負圧をフィルタ１１の吸引濾過端１２に作用させることにより濾過を実現する。図４を参照し、制御器１が前記第一制御弁１４及び前記第二制御弁１５を制御することで、真空ポンプ２の排気端４とフィルタ１１の吸引濾過端１２とを連通させ、真空ポンプ２に生じる正圧をフィルタ１１の吸引濾過端１２に作用させることにより、粒子径の小さい固体でフィルタ１１を閉塞することを回避する。濾過が終了するまで、上記の手順を繰り返す。
【００３３】
図５及び図６に本発明の更に他の具体実施例を示し、当該実施例は、図１及び図２に示す具体的な実施例と比較して、切換弁６の機能が第三制御弁１６、第四制御弁１７、第五制御弁１８及び第六制御弁１９により実現される点、即ち、前記吸引濾過端１２が前記第四制御弁１７及び前記第五制御弁１８を介して前記吸気端３及び前記排気端４にそれぞれガス通路で接続され、前記吸気端３が更に前記第三制御弁１６とガス通路で接続され、前記排気端４が更に前記第六制御弁１９とガス通路で接続される点で相違する。第三制御弁１６、第四制御弁１７、第五制御弁１８及び第六制御弁１９が二方電磁弁であっても良い。
【００３４】
前記吸引濾過端１２が前記第四制御弁１７及び前記第五制御弁１８にそれぞれガス通路で接続するためには、如何なる適切な構造を採用しても良い。前記吸気端３が前記第三制御弁１６及び前記第四制御弁１７にそれぞれガス通路で接続するためには、如何なる適切な構造を採用しても良い。前記排気端４が前記第五制御弁１８及び前記第六制御弁１９にそれぞれガス通路で接続するためには、如何なる適切な構造を採用しても良い。図５及び図６の表示を参照し、本発明の更に他の具体的な実施例において、前記急速濾過装置は更に三つのＴ字継ぎ手１３を含み、前記吸引濾過端１２がこれら三つのＴ字継ぎ手１３の一つを介して前記第四制御弁１７及び前記第五制御弁１８にそれぞれガス通路で接続される。前記吸気端３が別のＴ字継ぎ手１３を介して前記第三制御弁１６及び前記第四制御弁１７にそれぞれガス通路で接続される。前記排気端４が残りのＴ字継ぎ手１３を介して前記第五制御弁１８及び前記第六制御弁１９にそれぞれガス通路で接続される。
【００３５】
使用時、図５を参照し、制御器１が前記第四制御弁１７及び前記第六制御弁１９の開放、並びに前記第三制御弁１６及び前記第五制御弁１８の閉鎖を制御することで、真空ポンプ２の吸気端３とフィルタ１１の吸引濾過端１２とを連通させ、真空ポンプ２に生じる負圧をフィルタ１１の吸引濾過端１２に作用させることで濾過機能を実現する。図６の表示を参照し、制御器１が前記第三制御弁１６及び前記第五制御弁１８の開放、並びに前記第四制御弁１７及び前記第六制御弁１９の閉鎖を制御し、真空ポンプ２の排気端４とフィルタ１１の吸引濾過端１２とを連通させ、真空ポンプ２に生じる正圧をフィルタ１１の吸引濾過端１２に作用させることで、粒子径の小さい固体でフィルタ１１を閉塞することを回避する。濾過が終了するまで、上記の手順を繰り返す。
【００３６】
従って、本発明は急速濾過装置に関し、濾過過程で、まず真空ポンプ２の吸気端３により提供される負圧を利用して濾過を行い、さらに真空ポンプ２の排気端４に生じる正圧を利用してフィルタ１１を吹き返し、これにより粒子径の小さい固体でフィルタ１１を閉塞することを回避し、また、上記過程は、濾過過程を完成するまで繰り返される。即ち、粒子径の小さい固体でフィルタ１１を閉塞することを回避するように、交替的に負圧と正圧とを使用してフィルタ１１に作用させることで、濾過効率及び速度を向上させる。本発明は、液体中の固体又は細菌を検出又は除去するために、実験室又は工場等での液体濾過に適用される。
【００３７】
上述したことから、本発明の急速濾過装置は、設計が巧妙で、構造が簡潔で、濾過過程でフィルタが閉塞されにくいため、濾過の効率及び速度を向上させ、大量生産及び広範囲な普及に適する。
【００３８】
本明細書には、本発明は既にその特定の実施例を参照して記述されたが、勿論、本発明の精神と範囲を背離せず、種々の修正と変換を行うことができる。そのため、明細書と図面とも限定的でなく説明的であると理解されるべきである。
【図１】
0005997837.tif 000002
【図２】
0005997837.tif 000003
【図３】
0005997837.tif 000004
【図４】
0005997837.tif 000005
【図５】
0005997837.tif 000006
【図６】
0005997837.tif 000007